(57)【要約】【課題】本発明は、揚重補助装置に関し、ＰＣ外壁等を揚重装置で吊り上げるときに、風で煽られないようにすることと、簡易な構成で低コストで実現することが課題である。【解決手段】建物の外壁に沿って当該外壁から離隔された状態で縦方向ワイヤと横方向ワイヤとがそれぞれ所要の間隔を置き一対にして張架され、前記一対の縦方向ワイヤと前記一対の横方向ワイヤとにそれぞれ、揚重対象物を自在に磁気吸着して保持する磁気フレームが移動自在に設けられている揚重補助装置１である。【選択図】図１
2006241827.tif 000002
【特許請求の範囲】
【請求項１】
建物の外壁に沿って当該外壁から離隔された状態で縦方向ワイヤと横方向ワイヤとがそれぞれ所要の間隔を置き一対にして張架され、前記一対の縦方向ワイヤと前記一対の横方向ワイヤとにそれぞれ、揚重対象物を自在に磁気吸着して保持する磁気フレームが移動自在に設けられていること、
を特徴とする揚重補助装置。
【請求項２】
磁気フレームは矩形状のフレームであり、その４隅に電磁石ユニットが設けられ、揚重対象物には前記電磁石ユニットに対応した位置に鋼製治具が取り付けられていること、
を特徴とする請求項１に記載の揚重補助装置。
【請求項３】
電磁石ユニットには、基台と、該基台に球面座で揺動自在に支持された球面体に突設された腕部と、該腕部の先端部に設けられる平板状の接地面板とがあって構成され、前記電磁石ユニットを取り付ける磁気フレームの取付部分には、取付位置を上下左右に所要範囲内で変更できる複数個の取付孔が設けられていること、
を特徴とする請求項１に記載の揚重補助装置。
【発明の詳細な説明】
【技術分野】
【０００１】
本発明は、例えば、建物の外壁に使用されるカーテンウォール等のＰＣ壁板を、揚重装置によって引き上げるときに、前記ＰＣ壁板が強風によって煽られることのないようにする揚重補助装置に関するものである。
【背景技術】
【０００２】
従来、建物の構築において、外壁用のＰＣ壁板等の板状物をクレーン等の揚重装置で引き上げる際に、強風が吹くとこれに煽られて前記板状物が回転し、危険であると共に既設の外壁に傷を付けることにもなる。よって、強風時には揚重作業を中止するか、揚重対象物をストックしておくものである。
【０００３】
そこで、強風時の揚重作業中断による作業能率の低下・工期の長期化を防止すべく、例えば、既設のＰＣ壁板のゴンドラレール内に揚重ガイド手段を昇降自在に配置し、この揚重ガイド手段に所要長さの把持手段を外側向きに取付け、前記揚重ガイド手段をワイヤーに吊持させた揚重装置が知られている（特許文献１参照）。前記把持手段に揚重すべきＰＣ壁板を把持させ、駆動手段で所望の高さまで揚重し、揚重されたＰＣ壁板を既設のＰＣ壁板の上に載置して設置するものである。
【０００４】
このほか、揚重装置に、垂直ガイドと、該垂直ガイドに沿って昇降可能な軌道部と、該軌道部に揺動可能に取り付けられ中間アームと、水平揺動装置とを備えて、資材を搬入するようにしたものが知られている（特許文献２参照）。
【特許文献１】特開平０７−００４０５８号公報
【特許文献２】特開平１１−２５５４９０号公報
【発明の開示】
【発明が解決しようとする課題】
【０００５】
しかし、従来の、風の影響を受けないようにしてＰＣ壁板等を揚重する揚重装置においては、既設のＰＣ壁板にガイドレールが必要であり、汎用タイプではない。また、特殊なＰＣ壁板となるため、転用が困難となりコストが嵩むことになる。特許文献２のように、垂直ガイドを設けるものにおいては、高層建物には不向きとなる。本発明に係る揚重補助装置は、このような課題を解決するために提案されたものである。
【課題を解決するための手段】
【０００６】
本発明に係る揚重補助装置の上記課題を解決して目的を達成するための要旨は、建物の外壁に沿って当該外壁から離隔された状態で縦方向ワイヤと横方向ワイヤとがそれぞれ所要の間隔を置き一対にして張架され、前記一対の縦方向ワイヤと前記一対の横方向ワイヤとにそれぞれ、揚重対象物を自在に磁気吸着して保持する磁気フレームが移動自在に設けられていることである。
【０００７】
前記磁気フレームは矩形状のフレームであり、その４隅に電磁石ユニットが設けられ、揚重対象物には前記電磁石ユニットに対応した位置に鋼製治具が取り付けられていること、；
電磁石ユニットには、基台と、該基台に球面座で揺動自在に支持された球面体に突設された腕部と、該腕部の先端部に設けられる平板状の接地面板とがあって構成され、前記電磁石ユニットを取り付ける磁気フレームの取付部分には、取付位置を上下左右に所要範囲内で変更できる複数個の取付孔が設けられていること、；
を含むものである。
【発明の効果】
【０００８】
本発明の揚重補助装置によれば、建物の上から揚重装置のワイヤで吊り上げられたＰＣ外壁等の揚重対象物が、縦方向ワイヤに設けられた磁気フレームに磁気吸着されて引き上げられ、その後、横方向ワイヤに設けられた磁気フレームに前記揚重対象物が乗り換えられて、前記揚重装置により所定の位置に運ばれ、建物にファスナー等の取付金物で取り付けられる。このように、揚重装置でワイヤを介して引き上げられた板状の揚重対象物が、磁気フレームに吸着されて縦・横に移動するので、風の影響を受けなくなり、煽られることがないものである。そして、前記揚重補助装置の構成は、簡易な構成であり汎用的で転用が効き、コストも嵩むことがない。これにより、揚重作業の能率が大きく向上するものである。
【発明を実施するための最良の形態】
【０００９】
本発明に係る揚重補助装置１は、図１に示すように、構築中の建物２に、ＰＣ壁板等の平板状の揚重対象物Ａ（図４参照）が風に煽られないようにするため、設けられるものである。この構成は、前記建物２の外壁２ａに沿って、当該外壁２ａから屋上部に配設された支持部材３，４，５により離隔された状態（外壁２ａから略１ｍから２ｍ程度）で、縦方向ワイヤ６，７と横方向ワイヤ８，９とが、それぞれ所要の間隔ａ，ｂを置き、一対にして張架されている。
【００１０】
前記縦方向ワイヤ６，７が外壁２ａに近い側にあり、横方向ワイヤ８，９が前記縦方向ワイヤ６，７よりも外側にある。なお、前記ワイヤ６，７をたるみ無く張設するために、地面に固定装置としてのブロック１１ａが設けられている。
【００１１】
また、横方向ワイヤ８，９用に、無端状で駆動装置によって循環する補助ワイヤ１０ａが張設されている。この補助ワイヤ１０ａを張設する重石であるとともに上下方向に駆動装置で移動させることで横方向ワイヤ８，９の高さ位置を変える巻上げ装置１１ｂが設けられている。前記支持部材３と巻上げ装置１１ｂとの間で、前記補助ワイヤ１０ａが、正・逆方向に循環するものである。
【００１２】
更に、前記一対の縦方向ワイヤ６，７と、前記一対の横方向ワイヤ８，９とに、それぞれ、図１乃至図２に示すように、揚重対象物３を自在に磁気吸着して保持する磁気フレーム１２，１３が移動自在に設けられている。この磁気フレーム１２，１３は、矩形状の金属製若しくは合成樹脂製の枠体であり、その四隅には、図２（Ａ）に示すように、電磁石ユニット１４が設けられている。横方向の前記磁気フレーム１２には前記電磁石ユニット１４が外壁２ａ側に向けて取り付けられ、縦方向の磁気フレーム１３には前記電磁石ユニット１４が、外壁２ａとは反対側の外側向きに取り付けられている。
【００１３】
前記電磁石ユニット１４は、図２（Ｂ）に示すように、基台１４ａと、該基台１４ａに球面座１４ｂで揺動自在に支持された球面体１４ｃに突設され腕部１４ｄと、該腕部１４ｄの先端部に設けられる平板状の接地面板１４ｅと、取付板１４ｆとがある。前記接地面板１４ｅに電気が供給されて電磁石となるものである。なお、この電磁石ユニット１４はこの例に限らず、例えば、ブロック本体の中央部にある回転自在な切替ブロックを、９０度回転させて磁気方向を全体的に一致させることで、強力な吸着力を発揮する磁石であっても良い。
【００１４】
また、前記磁気フレーム１２，１３において、前記電磁石ユニット１４を取り付ける磁気フレームの取付部分には、取付位置を上下左右に所要範囲内で変更できる複数個の取付孔１３ａが設けられている。揚重対象物３の大きさ等に合わせて適切な位置に電磁石ユニット１４を取り付けるためである。
【００１５】
前記磁気フレーム１２，１３と、縦方向ワイヤ６，７、横方向ワイヤ８，９との取付状態は、図３（Ａ），（Ｂ）に示すように、磁気フレームの一辺において、ワイヤ配設方向に沿ってガイド筒部材１５が設けられている。このガイド筒部材１５は、取付腕部１５ａと、その端部に直交方向に固定された挿通筒部１５ｂとでなる。
【００１６】
この挿通筒部１５ｂに、縦・横方向のワイヤ６，７，８，９が挿通されるものである。なお、縦方向（略鉛直方向である）に移動する磁気フレーム１３においては、この縦方向ワイヤ６，７に沿って下降する際、自然落下しないように、所定のゆっくりとした速度で降下するように、例えば、公知の緩降機（参考：特開平１１−５７０４４号）等の降下速度調整治具（図示せず）が使用されるものである。
【００１７】
このようにして構成された揚重補助装置１の使用例を説明する。図４に示すように、まず、揚重対象物Ａの４隅に鋼製治具１６を取り付け、移動式ストックヤード等に載せた前記揚重対象物Ａを建物２の外壁２ａ面に配置する。この鋼製治具１６は、略コ字型をしており、所要幅の板体である。また、当該鋼製治具１６を略コ字型にしてあるのは、揚重対象Ａにおける表裏の両面に磁石で吸着可能な板部分が存在するようにするためである。これを、横方向ワイヤ８，９の内側に入れてある、建物２の屋上にある揚重装置のワイヤ１７で持ち上げる。
【００１８】
そして、図４乃至図５に示すように、前記揚重対象物Ａを磁気フレーム１３に近づけて移動させ、電磁石ユニット１４により前記鋼製治具１６を吸着し、磁気フレーム１３に揚重対象物Ａを固定する。その後、図５中の矢印で示すように、前記ワイヤ１７で揚重対象物Ａを持ち上げる。途中で風が吹いても、一対の縦方向ワイヤ６，７により外壁２ａに略平行に維持されて、煽られるようなことがない。
【００１９】
図６に示すように、前記揚重対象物Ａを横移動させる位置に揚重したなら、この揚重対象物Ａを、磁気フレーム１２に固定するように盛り変える。磁気フレーム１２の電磁石ユニット１４に通電して、鋼製治具１６の外面を吸着させ、その後に、磁気フレーム１３の電磁石ユニット１４の通電を遮断して電磁石ユニット１４と鋼製治具１６の内面との間の吸着作用を解除し、該磁気フレーム１３から前記揚重対象物Ａを離す。この磁気フレーム１３は、緩降機によりゆっくりと一定の速度で縦方向ワイヤ６，７に沿って降下してゆく。
【００２０】
図７に示すように、揚重装置を横方向に移動させ、磁気フレーム１２とともに揚重対象物Ａを所望の横位置に移動させる。こうして、横方向ワイヤ８，９に架設された磁気フレーム１２に吸着された状態で揚重対象物Ａが横に運ばれ、風に煽られることがない。
【００２１】
そして、図８に示すように、所望の位置に到着したならば、磁気フレーム１２の電磁石ユニット１４への通電を遮断して揚重対象物Ａを解放する。ワイヤ１７で吊持されている揚重対象物Ａを建物の取付用ファスナー等に固定する。４個の鋼製治具１６を揚重対象物Ａから取り外す。
【００２２】
前記磁気フレーム１２は、横方向ワイヤ８，９に沿って戻される。なお、磁気フレーム１２に滑車とモータからなる小さな駆動装置と駆動電源とを設けて、遠隔操作により自走させて元の位置に戻るようにすることもできる。
【００２３】
なお、縦方向ワイヤ６，７が張架されている間の部分における揚重対象物Ａの取付けには、揚重対象物Ａを磁気フレーム１３から磁気フレーム１２に盛り返して、前記磁気フレーム１３を下に降下させた後に、取り付けるものである。こうして、ある高さ位置の横方向に揚重対象物Ａを全て取り付けた後に、図９に示すように、巻上げ装置１１ｂ，１１ｂにより上階に横方向ワイヤ８，９及び磁気フレーム１２を移動させる。その後、磁気フレーム１３で揚重対象物Ａを吊り上げて繰り返すことにより、揚重対象物Ａを建物２の外壁２ａに取り付けるものである。
【図面の簡単な説明】
【００２４】
【図１】本発明に係る揚重補助装置１の全体構成を示す概略斜視図である。
【図２】同本発明の揚重補助装置１における磁気フレームの、電磁石ユニット１４を示す斜視図（Ａ）、電磁石ユニット１４の縦断面図（Ｂ）である。
【図３】磁気フレームにおけるガイド筒部材１５の取付状体の斜視図（Ａ）、断面図（Ｂ）である。
【図４】本発明に係る揚重補助装置１の使用状態を説明する説明図である。
【図５】本発明に係る揚重補助装置１の使用状態を説明する説明図である。
【図６】本発明に係る揚重補助装置１の使用状態を説明する説明図である。
【図７】本発明に係る揚重補助装置１の使用状態を説明する説明図である。
【図８】本発明に係る揚重補助装置１の使用状態を説明する説明図である。
【図９】本発明に係る揚重補助装置１の使用状態を説明する説明図である。
【符号の説明】
【００２５】
１              揚重補助装置、
２              建物、                        ２ａ          外壁、
３，４，５      支持部材、
６，７          縦方向ワイヤ、
８，９          横方向ワイヤ、
１０ａ          補助ワイヤ、
１１ａ          ブロック、
１１ｂ          巻上げ装置、
１２、１３      磁気フレーム、
１２ａ，１３ａ  取付孔、
１４            電磁石ユニット、              １４ａ        基台、
１４ｂ          球面座、                      １４ｃ        球面体、
１４ｄ          腕部、                        １４ｅ        接地面板、
１４ｆ          取付板、         
１５            ガイド筒部材、                １５ａ        取付腕部、
１５ｂ          挿通筒部、
１６            鋼製治具、
１７            ワイヤ。
【図１】
2006241827.tif 000003
【図２】
2006241827.tif 000004
【図３】
2006241827.tif 000005
【図４】
2006241827.tif 000006
【図５】
2006241827.tif 000007
【図６】
2006241827.tif 000008
【図７】
2006241827.tif 000009
【図８】
2006241827.tif 000010
【図９】
2006241827.tif 000011